(57)【特許請求の範囲】
【請求項１】
画像表示装置を制御するための表示制御装置であって、１フレーム期間の周期で前記画像表示装置を制御する第１の処理を行うとともに１フレーム期間以外の周期及び任意のタイミングで前記画像表示装置を制御する第２の処理を行う制御デバイスと、第１の記憶領域および第２の記憶領域を含む記憶装置と、前記第１の処理のための第１の制御データを前記第１の記憶領域に書き込み、前記第２の処理のための第２の制御データを前記第２の記憶領域に書き込み、１フレーム期間の周期で前記第１の記憶領域に記憶された第１の制御データを前記制御デバイスに転送し、１フレーム期間以外の周期及び任意のタイミングで前記第２の記憶領域に記憶された第２の制御データを前記制御デバイスに転送する処理装置とを備え、前記第２の処理は、任意のタイミングで前記画像表示装置の動作状態を設定するスタティック処理と、１フレーム期間以外の前記周期で直前のスタティック処理で設定された動作状態を再度設定するリフレッシュ処理とを含む、表示制御装置。
【請求項２】
前記処理装置は、第１の制御データおよび第２の制御データを転送すべきフレームにおいて、前記第１の記憶領域に記憶された第１の制御データを前記制御デバイスに転送した後、前記第２の記憶領域に記憶された第２の制御データを前記制御デバイスに転送することを特徴とする請求項１記載の表示制御装置。
【請求項３】
前記処理装置は、第２の制御データを複数のフレームに分散させて転送することを特徴とする請求項２記載の表示制御装置。
【請求項４】
前記第１の処理は、前記映像信号に基づいて前記画像表示装置の画面に表示される画像を制御するダイナミック処理を含むことを特徴とする請求項１〜３のいずれかに記載の表示制御装置。
【請求項５】
前記第２の処理は、電源投入時に前記画像表示装置の動作状態を初期設定するスタティック処理を含むことを特徴とする請求項１〜３のいずれかに記載の表示制御装置。
【請求項６】
入力される映像信号に基づいて１フレームの画像の特徴量を検出する特徴量検出装置をさらに備え、前記処理装置は、前記特徴量検出装置により検出された特徴量に基づいて前記第１の制御データを生成して前記第１の記憶領域に書き込むことを特徴とする請求項１〜５のいずれかに記載の表示制御装置。
【請求項７】
前記画像表示装置の動作状態を設定する設定部をさらに備え、前記処理装置は、前記設定部により設定された動作状態に基づいて前記第２の制御データを生成して前記第２の記憶領域に書き込むことを特徴とする請求項１〜６のいずれかに記載の表示制御装置。
【請求項８】
前記制御デバイスは、それぞれ前記第１の処理および第２の処理の少なくとも一方を行う複数の制御ブロックを含み、前記処理装置は、各制御ブロックに前記第１および第２の記憶領域に記憶された第１および第２の制御データの少なくとも一方を転送することを特徴とする請求項１〜７のいずれかに記載の表示制御装置。
【請求項９】
画像を表示する画像表示装置であって、映像信号に基づいて画像を表示する画面を有する表示デバイスと、１フレーム期間の周期で前記表示デバイスを制御する第１の処理を行うとともに１フレーム期間以外の周期及び任意のタイミングで前記表示デバイスを制御する第２の処理を行う制御デバイスと、第１の記憶領域および第２の記憶領域を含む記憶装置と、前記第１の処理のための第１の制御データを前記第１の記憶領域に書き込み、前記第２の処理のための第２の制御データを前記第２の記憶領域に書き込み、１フレーム期間の周期で前記第１の記憶領域に記憶された第１の制御データを前記制御デバイスに転送し、１フレーム期間以外の周期及び任意のタイミングで前記第２の記憶領域に記憶された第２の制御データを前記制御デバイスに転送する処理装置とを備え、前記第２の処理は、任意のタイミングで前記画像表示装置の動作状態を設定するスタティック処理と、１フレーム期間以外の前記周期で直前のスタティック処理で設定された動作状態を再度設定するリフレッシュ処理とを含む、画像表示装置。
【請求項１０】
画像表示装置を制御するための制御デバイスに制御データを転送する制御データ転送方法であって、１フレーム期間の周期で前記画像表示装置を制御する第１の処理のための第１の制御データを第１の記憶領域に書き込むステップと、１フレーム期間以外の周期及び任意のタイミングで前記画像表示装置を制御する第２の処理のための第２の制御データを第２の記憶領域に書き込むステップと、１フレーム期間の周期で前記第１の記憶領域に記憶された第１の制御データを前記制御デバイスに転送するステップと、１フレーム期間以外の周期及び任意のタイミングで前記第２の記憶領域に記憶された第２の制御データを前記制御デバイスに転送するステップとを備え、前記第２の処理は、任意のタイミングで前記画像表示装置の動作状態を設定するスタティック処理と、１フレーム期間以外の前記周期で直前のスタティック処理で設定された動作状態を再度設定するリフレッシュ処理とを含む、制御データ転送方法。
【発明の詳細な説明】
【０００１】
【発明の属する技術分野】
本発明は、表示制御装置、画像表示装置および制御データ転送方法に関する。
【０００２】
【従来の技術】
テレビジョン受像機、モニタ装置等の種々の画像表示装置が数多く使用されている。このような画像表示装置においては、電源投入時に画像のコントラスト、輝度等が初期設定される。また、使用者の操作により画像のコントラスト、輝度等を設定することもできる。
【０００３】
近年、変化する映像信号に基づいて画面に表示される画像のコントラスト、輝度等を自動的に制御する画像表示装置が開発されている（例えば、特許文献１参照）。
【０００４】
このような画像表示装置では、制御動作を行う制御デバイスに制御データを転送することによりコントラスト、輝度等が設定または制御される。
【０００５】
【特許文献１】
特開平５−１２７６０８号公報
【０００６】
【発明が解決しようとする課題】
しかしながら、画像表示装置の画像表示性能を向上させようとすると、制御デバイスに転送すべき制御データ量が増大する。制御データは、記憶装置を介して様々な信号の処理手段に転送されるが、制御データが増大すると従来のように無秩序に記憶させていては、制御データの入出力に無駄な時間がかかってしまっていた。そのため、効率良く制御データを転送しなければコントラスト、輝度等の制御動作に応答の遅れが生じる。
【０００７】
本発明の目的は、効率の良い制御データの転送により画像表示装置の画像表示性能を向上させることができる表示制御装置を提供することである。
【０００８】
本発明の他の目的は、効率の良い制御データの転送により画像表示性能が向上された画像表示装置を提供することである。
【０００９】
本発明のさらに他の目的は、効率良く制御デバイスに制御データを転送する方法を提供することである。
【００１０】
【課題を解決するための手段】
本発明に係る表示制御装置は、画像表示装置を制御するための表示制御装置であって、１フレーム期間の周期で画像表示装置を制御する第１の処理を行うとともに１フレーム期間以外の周期または任意のタイミングで画像表示装置を制御する第２の処理を行う制御デバイスと、第１の記憶領域および第２の記憶領域を含む記憶装置と、第１の処理のための第１の制御データを第１の記憶領域に書き込み、第２の処理のための第２の制御データを第２の記憶領域に書き込み、１フレーム期間の周期で第１の記憶領域に記憶された第１の制御データを制御デバイスに転送し、１フレーム期間以外の周期または任意のタイミングで第２の記憶領域に記憶された第２の制御データを制御デバイスに転送する処理装置とを備えるものである。
【００１１】
本発明に係る表示制御装置においては、画像表示装置を制御する制御デバイスに転送される制御データは、第１の処理を行う第１の制御データと第２の処理を行う第２の制御データとに分類される。第１の制御データおよび第２の制御データはそれぞれ第１の記憶領域および第２の記憶領域に記憶されて制御デバイスに転送される。
【００１２】
この場合、第１の記憶領域には第１の制御データが記憶され、第２の記憶領域には第２の制御データが記憶される。したがって、データ転送時のアドレスの分散が発生せずアドレス制御が容易になるとともにデータ転送効率が向上し、画像表示性能が向上する。
【００１３】
処理装置は、第１の制御データおよび第２の制御データを転送すべきフレームにおいて、第１の記憶領域に記憶された第１の制御データを制御デバイスに転送した後、第２の記憶領域に記憶された第２の制御データを制御デバイスに転送してもよい。
【００１４】
この場合、１フレーム期間内に第１の制御データは確実に制御デバイスに転送される。したがって、１フレーム期間の周期で第１の処理が確実に行われる。
【００１５】
処理装置は、第２の制御データを複数のフレームに分散させて転送してもよい。この場合、複数のフレームの各々において、第１の制御データが転送された後、分散された第２の制御データが転送される。したがって、各フレームにおいて第１の制御データは制御デバイスに確実に転送される。また、複数のフレームにおける第１の制御データの転送後に第２の制御データが確実に転送される。
【００１６】
第１の処理は、映像信号に基づいて画像表示装置の画面に表示される画像を制御する処理を含んでもよい。この場合、１フレーム期間の周期で画像表示装置の画面に表示される画像が制御される。したがって、変化する映像信号に応じて画像の制御ができる。
【００１７】
第２の処理は、電源投入時に画像表示装置の動作状態を初期設定する処理を含んでもよい。この場合、電源投入時に画像表示装置の動作状態を初期設定するための第２の制御データが転送される。したがって、画像表示装置の動作状態を初期設定できる。
【００１８】
第２の処理は、任意のタイミングで与えられる制御信号に基づいて画像表示装置の動作状態を設定する処理を含んでもよい。この場合、各フレームにおいて第１の制御データが転送されるとともに、任意のタイミングで画像表示装置の動作状態を設定するための第２の制御データが転送される。したがって、変化する映像信号に応じて画像の制御ができるとともに、任意のタイミングで画像表示装置の動作状態が設定できる。
【００１９】
第２の処理は、１フレーム期間よりも長い周期で直前の第２の処理で設定された動作状態を再度設定する処理を含んでもよい。この場合、直前の第２の処理で設定された動作状態を一定の周期で再度設定するための第２の制御データが転送される。したがって、画像表示装置の動作が安定する。
【００２０】
表示制御装置は、入力される映像信号に基づいて１フレームの画像の特徴量を検出する特徴量検出装置をさらに備え、処理装置は、特徴量検出装置により検出された特徴量に基づいて第１の制御データを生成して第１の記憶領域に書き込んでもよい。
【００２１】
この場合、処理装置は映像信号に基づく１フレームの画像の特徴量に基づいて第１の制御データを転送することができる。したがって、変化する映像信号に応じて１フレームごとに画像の特徴量に基づく画像の制御ができる。
【００２２】
表示制御装置は、画像表示装置の動作状態を設定する設定部をさらに備え、処理装置は、設定部により設定された動作状態に基づいて第２の制御データを生成して第２の記憶領域に書き込んでもよい。
【００２３】
この場合、各フレームにおいて第１の制御データが転送されるとともに、設定部で設定された動作状態に基づいて第２の制御データが転送される。したがって、変化する映像信号に応じて画像の制御ができるとともに、任意のタイミングで画像表示装置の設定を変更することができる。
【００２４】
制御デバイスは、それぞれ第１の処理および第２の処理の少なくとも一方を行う複数の制御ブロックを含み、処理装置は、各制御ブロックに第１および第２の記憶領域に記憶された第１および第２の制御データの少なくとも一方を転送してもよい。
【００２５】
この場合、各制御ブロックに第１および第２の記憶領域に記憶された第１および第２の制御データの少なくとも一方が転送される。それにより、各制御ブロックは転送された制御データに基づいて第１の処理および第２の処理を行うことができる。
【００２６】
本発明に係る他の表示制御装置は、画像を表示する画像表示装置であって、映像信号に基づいて画像を表示する画面を有する表示デバイスと、１フレーム期間の周期で表示デバイスを制御する第１の処理を行うとともに１フレーム期間以外の周期または任意のタイミングで表示装置を制御する第２の処理を行う制御デバイスと、第１の記憶領域および第２の記憶領域を含む記憶装置と、第１の処理のための第１の制御データを第１の記憶領域に書き込み、第２の処理のための第２の制御データを第２の記憶領域に書き込み、１フレーム期間の周期で第１の記憶領域に記憶された第１の制御データを制御デバイスに転送し、１フレーム期間以外の周期または任意のタイミングで第２の記憶領域に記憶された第２の制御データを制御デバイスに転送する処理装置とを備えるものである。
【００２７】
本発明に係る画像表示装置においては、制御デバイスに転送される制御データは、第１の処理を行う第１の制御データと第２の処理を行う第２の制御データとに分類される。第１の制御データおよび第２の制御データはそれぞれ第１の記憶領域および第２の記憶領域に記憶されて制御デバイスに転送される。それにより、表示デバイスが制御データに基づいて制御デバイスにより制御される。
【００２８】
この場合、第１の記憶領域には第１の制御データが記憶され、第２の記憶領域には第２の制御データが記憶される。したがって、データ転送時のアドレスの分散が発生せずアドレス制御が容易になるとともにデータ転送効率が向上する。したがって、変化する映像信号に基づいて画像を表示装置の画面に表示する制御動作に応答の遅れが生じず、画像表示性能を向上させることができるとともに画像表示装置の付加価値を向上させることができる。
【００２９】
本発明に係る制御データ転送方法は、画像表示装置を制御するための制御デバイスに制御データを転送する制御データ転送方法であって、１フレーム期間の周期で画像表示装置を制御する第１の処理のための第１の制御データを第１の記憶領域に書き込むステップと、１フレーム期間以外の周期または任意のタイミングで画像表示装置を制御する第２の処理のための第２の制御データを第２の記憶領域に書き込むステップと、１フレーム期間の周期で第１の記憶領域に記憶された第１の制御データを制御デバイスに転送するステップと、１フレーム期間以外の周期または任意のタイミングで第２の記憶領域に記憶された第２の制御データを制御デバイスに転送するステップとを備えるものである。
【００３０】
本発明に係る制御データ転送方法においては、第１の制御データは第１の記憶領域に書き込まれ、第２の制御データは第２の記憶領域に書き込まれる。第１の記憶領域に書き込まれた第１の制御データは、１フレーム期間の周期で制御デバイスに転送され、第２の記憶領域に書き込まれた第２の制御データは、１フレーム期間以外の周期または任意のタイミングで制御デバイスに転送される。したがって、データ転送時のアドレスの分散が発生せずアドレス制御が容易になるとともにデータ転送効率が向上する。
【００３１】
【発明の実施の形態】
（第１の実施の形態）
図１は、本発明の第１の実施の形態に係る画像表示装置の構成を示すブロック図である。本実施の形態に係る画像表示装置は、液晶表示パネルを用いたテレビジョン受像機またはモニタ装置である。
【００３２】
画像表示装置は、コントローラ１、マイコン２、特徴量検出部３、ＬＳＩ４、液晶表示パネル５、光源６および映像信号処理回路７を含む。
【００３３】
映像信号処理回路７は、映像信号ＶＤ０に所定の処理を行い、処理された映像信号ＶＤ１を特徴量検出部３およびＬＳＩ４に与える。特徴量検出部３は、映像信号ＶＤ１に基づいて画像の特徴量を検出し、検出した特徴量をマイコン２に与える。ここで、特徴量は、例えば、最大輝度、最小輝度、平均輝度等である。
【００３４】
使用者は、コントローラ１を用いて画像表示装置の動作状態を設定することができる。ここで、動作状態とは、画像のコントラスト、輝度、縦横比、解像度、画素数等である。
【００３５】
コントローラ１は、使用者により設定された動作状態を示す制御信号をマイコン２に与える。
【００３６】
マイコン２は、特徴量検出部３から与えられる特徴量に基づいてＬＳＩ４にデータバスＤＢを介して後述するダイナミック処理を制御するためのダイナミック制御データを与える。また、マイコン２は、ＬＳＩ４にデータバスＤＢを介して後述するスタティック処理およびリフレッシュ処理を制御するためのスタティック制御データを与える。さらに、マイコン２は、ＬＳＩ４にアドレスバスＡＢを介してダイナミック制御データおよびスタティック制御データを格納するアドレスを指定するためのアドレス信号を与える。
【００３７】
ＬＳＩ４は、映像信号処理回路７から与えられた映像信号ＶＤ１およびマイコン２から与えられたダイナミック制御データおよびスタティック制御データに基づいて、液晶表示パネル５および光源６を制御する。ＬＳＩ４の詳細な構成および動作については後述する。
【００３８】
以下の説明において、映像信号に基づいて１フレーム期間の周期で画像表示装置を制御する処理をダイナミック処理と呼ぶ。また、電源投入時に画像表示装置の動作状態を初期設定する処理および任意のタイミングで与えられる制御信号に基づいて画像表示装置の動作状態を設定する処理をスタティック処理と呼ぶ。さらに、１フレーム期間よりも長い所定の周期で直前のスタティック処理により設定された動作状態を再度設定する処理をリフレッシュ処理と呼ぶ。
【００３９】
ダイナミック処理を制御するための制御データをダイナミック制御データと呼び、スタティック処理およびリフレッシュ処理を制御するための制御データをスタティック制御データと呼ぶ。
【００４０】
ダイナミック処理は、例えば、１フレームの画像の最高輝度および最低輝度に基づいて画像のコントラストを制御する処理および１フレームの画像の平均輝度に基づいて光源６の輝度を制御する処理を含む。
【００４１】
スタティック処理は、例えば、電源投入時に画像のコントラスト、輝度、縦横比、解像度、画素数等を初期設定する処理および任意のタイミングで使用者の操作に基づいて画像のコントラスト、輝度、縦横比、解像度、画素数等を設定する処理を含む。
【００４２】
リフレッシュ処理は、例えば、数秒ごとに画像表示装置の動作を安定させるために直前のスタティック処理で設定された動作状態を再度設定する処理を含む。
【００４３】
図２は、ダイナミック処理、スタティック処理およびリフレッシュ処理が発生する時期を説明するための図である。横軸は時間を示す。
【００４４】
時点ｔ０で画像表示装置の電源がオンされる。それにより、図１の液晶表示パネル５、光源６等の動作状態を初期設定するためのスタティック処理が発生する。
【００４５】
電源がオンされた後は変化する映像信号ＶＤ１に応じて１フレームごとにダイナミック処理が繰り返し発生する。１フレーム期間は、例えば、数μ秒程度である。
【００４６】
ダイナミック処理が繰り返し発生し数秒経過して時点ｔ１になると、ダイナミック処理およびリフレッシュ処理が発生する。このリフレッシュ処理は、図１の液晶表示パネル５および光源６の動作を安定させるために、直前に行われたスタティック処理で設定された動作状態を再度設定する処理である。したがって、時点ｔ１におけるリフレッシュ処理では、時点ｔ０において画像表示装置の電源がオンされたときに初期設定された動作状態が再度設定される。
【００４７】
同様に、時点ｔ２においてもダイナミック処理およびリフレッシュ処理が発生する。
【００４８】
以下、各フレームごとにダイナミック処理が発生し、数秒ごとにリフレッシュ処理が発生する。
【００４９】
ここで、時点ｔ３において使用者がコントローラ１を操作して動作状態の設定を変更すると、図１の液晶表示パネル５、光源６等の動作状態の設定を変更するためのスタティック処理が発生する。このとき、同時にダイナミック処理も発生する。
【００５０】
この場合、次に行われるリフレッシュ処理では、使用者がコントローラ１を操作して変更した動作状態が再度設定される。
【００５１】
以下、図３〜図５を用いてダイナミック処理、スタティック処理およびリフレッシュ処理が発生する際に図１のＬＳＩ４の内部で行われるデータ転送の詳細な説明を行う。
【００５２】
図３は、ＬＳＩ４の構成を示すブロック図である。図３に示すＬＳＩ４は、デコーダ４１および制御デバイス４０を含む。制御デバイス４０は、画像制御ブロック４２、光源制御ブロック４３および表示モード制御ブロック４４を含む。
【００５３】
デコーダ４１は、ＲＡＭ（ランダムアクセスメモリ）等の記憶装置により構成され、バンク４１ａおよびバンク４１ｂを含む。なお、制御デバイス４０は、実際には、画像制御ブロック４２、光源制御ブロック４３および表示モード制御ブロック４４以外に種々の制御ブロックを含むが、ここでは、理解を容易にするために上記の画像制御ブロック４２、光源制御ブロック４３および表示モード制御ブロック４４のみを示す。
【００５４】
画像制御ブロック４２はレジスタ４２ａおよび画像制御部４２ｂを含み、光源制御ブロック４３はレジスタ４３ａおよび光源制御部４３ｂを含み、表示モード制御ブロック４４はレジスタ４４ａおよび表示モード制御部４４ｂを含む。
【００５５】
バンク４１ａにはマイコン２からデータバスＤＢを介してダイナミック制御データが与えられ、バンク４１ｂにはマイコン２からデータバスＤＢを介してスタティック制御データが与えられる。また、バンク４１ａ，４１ｂにマイコン２からアドレスバスＡＢを介してアドレス信号ＡＤおよびバンク選択信号ＢＳが与えられ、レジスタ４２ａ，４３ａ，４４ａにはマイコン２からアドレスバスＡＢを介してアドレス信号ＡＤが与えられる。
【００５６】
ダイナミック制御データの書き込み時には、マイコン２は、データバスＤＢにダイナミック制御データを出力し、バンク選択信号ＢＳによりバンク４１ａを選択しかつアドレス信号ＡＤによりアドレスを指定する。それにより、データバスＤＢのダイナミック制御データがアドレス信号ＡＤにより指定されるバンク４１ａ内のアドレスに書き込まれる。
【００５７】
スタティック制御データの書き込み時には、マイコン２は、データバスＤＢにスタティック制御データを出力し、バンク選択信号ＢＳによりバンク４１ｂを選択しかつアドレス信号ＡＤによりアドレスを指定する。それにより、データバスＤＢのスタティック制御データがアドレス信号ＡＤにより指定されるバンク４１ｂ内のアドレスに書き込まれる。
【００５８】
ダイナミック制御データの読み出し時には、マイコン２は、バンク選択信号ＢＳによりバンク４１ａを選択しかつアドレス信号ＡＤによりアドレスを指定する。それにより、アドレス信号ＡＤにより指定されたバンク４１ａ内のアドレスからダイナミック制御データが読み出される。バンク４１ａから読み出されたダイナミック制御データは、レジスタ４２ａ，４３ａのうちアドレス信号ＡＤにより指定されたレジスタに転送される。
【００５９】
スタティック制御データの読み出し時には、マイコン２は、バンク選択信号ＢＳによりバンク４１ｂを選択しかつアドレス信号ＡＤによりアドレスを指定する。それにより、アドレス信号ＡＤにより指定されたバンク４１ｂ内のアドレスからスタティック制御データが読み出される。バンク４１ｂから読み出されたスタティック制御データは、レジスタ４２ａ，４３ａ，４４ａのうちアドレス信号ＡＤにより指定されたレジスタに転送される。
【００６０】
レジスタ４２ａは、バンク４１ａから転送されたダイナミック制御データおよびバンク４１ｂから転送されたスタティック制御データを保持する。画像制御部４２ｂは、レジスタ４２ａに保持されるダイナミック制御データおよびスタティック制御データに基づいて映像信号処理回路７から与えられる映像信号ＶＤ１を補正し、補正された映像信号ＶＤ２を液晶表示パネル５に与える。
【００６１】
本例では、レジスタ４２ａは画像のコントラストを制御するためのダイナミック制御データまたはスタティック制御データを保持する。それにより、画像制御部４２ｂは、ダイナミック制御データおよびスタティック制御データに基づいて映像信号ＶＤ１のコントラストを補正し、補正された映像信号ＶＤ２を液晶表示パネル５に与える。
【００６２】
レジスタ４３ａは、バンク４１ａから転送されたダイナミック制御データおよびバンク４１ｂから転送されたスタティック制御データを保持する。光源制御部４３ｂは、レジスタ４３ａに保持されるダイナミック制御データおよびスタティック制御データに基づいて輝度制御データＬＣを光源６に与える。
【００６３】
本例では、レジスタ４３ａは画像の輝度を制御するためのダイナミック制御データおよびスタティック制御データを保持する。それにより、光源制御部４３ｂは、ダイナミック制御データおよびスタティック制御データに基づいて光源６の輝度を制御するための輝度制御データＬＣを光源６に与える。
【００６４】
レジスタ４４ａは、バンク４１ｂから転送されたスタティック制御データを保持する。表示モード制御部４４ｂは、レジスタ４４ａに保持されるスタティック制御データに基づいて表示モード設定信号ＭＣを液晶表示パネル５に与える。
【００６５】
本例では、レジスタ４４ａは、画像の縦横比、画素数、解像度等の表示モードを設定するためのスタティック制御データを保持する。それにより、表示モード制御部４４ｂは、スタティック制御データに基づいて表示モードを設定するための表示モード設定信号ＭＣを液晶表示パネル５に与える。
【００６６】
図４（ａ）は、バンク４１ａに記憶されたダイナミック制御データの一例を示す図であり、図４（ｂ）は、バンク４１ｂに記憶されたスタティック制御データの一例を示す図である。
【００６７】
ここでは、説明を簡単にするために、バンク４１ａがアドレスＡ０〜Ａ７を有するものとし、バンク４１ｂがアドレスＢ０〜Ｂ７を有するものとする。また、バンク４１ａには、ダイナミック制御データとして、フレームごとに変化する利得情報やオフセット情報である画像制御データ１４ａおよび輝度調整値データなどの光源制御データ１４ｂが記憶される。また、バンク４１ｂには、スタティック制御データとして、頻繁には変化しないような情報、例えばピーキング利得情報やピーキング周波数情報等の画像制御データ１５ａ、光源６のインバータＰＷＭ（パルス幅変調）周波数情報等の光源制御データ１５ｂおよび液晶表示パネル５の解像度、画面モードの選択のための情報等の表示モード制御データ１５ｃが記憶される。
【００６８】
画像制御データ１４ａは、バンク４１ａのアドレスＡ０〜Ａ３に書き込まれる。光源制御データ１４ｂは、バンク４１ａのアドレスＡ４〜Ａ７に書き込まれる。
【００６９】
また、画像制御データ１５ａは、バンク４１ｂのアドレスＢ０〜Ｂ２に書き込まれる。光源制御データ１５ｂは、バンク４１ｂのアドレスＢ３〜Ｂ５に書き込まれる。表示モード設定データ１５ｃは、バンク４１ｂのアドレスＢ６，Ｂ７に書き込まれる。
【００７０】
ここで、図３〜図５を用いてダイナミック処理を説明する。
図５（ａ）は、ダイナミック処理が発生した場合にダイナミック制御データがレジスタに転送される様子を説明する図であり、図５（ｂ）は、スタティック処理またはリフレッシュ処理が発生した場合にスタティック制御データおよびダイナミック制御データがレジスタに転送される様子を説明する図である。
【００７１】
図５において、斜線を施したブロックは、ダイナミック制御データまたはスタティック制御データを示し、各ブロックの上部の符号Ａ０〜Ａ７，Ｂ０〜Ｂ７は、それぞれダイナミック制御データまたはスタティック制御データが読み出されるバンク４１ａ，４１ｂのアドレスを示す。
【００７２】
ダイナミック処理が行われる場合、マイコン２は、図５（ａ）の第１フレームにおいてバンク選択信号ＢＳによりバンク４１ａを選択しかつアドレス信号ＡＤによりアドレスＡ０〜Ａ３を順に指定するとともにレジスタ４２ａを選択し、バンク選択信号ＢＳによりバンク４１ａを選択しかつアドレス信号ＡＤによりアドレスＡ４〜Ａ７を順に指定するとともにレジスタ４３ａを選択する。それにより、バンク４１ａのアドレスＡ０〜Ａ３に記憶される画像制御データ１４ａがレジスタ４２ａに順に転送され、バンク４１ａのアドレスＡ４〜Ａ７に記憶される光源制御データ１４ｂがレジスタ４３ａに順に転送される。
【００７３】
第２フレーム、第３フレーム、第４フレームおよび他のフレームにおいても、同様にして、バンク４１ａのアドレスＡ０〜Ａ７に記憶される画像制御データ１４ａおよび光源制御データ１４ｂがレジスタ４２ａおよび画像制御ブロック４２ｂに順に転送される。
【００７４】
ダイナミック処理においては、図５（ａ）に示すように、バンク４１ａのアドレスＡ０〜Ａ７に記憶されたダイナミック制御データの転送が各フレームごとに完了する。
【００７５】
続いて、図３〜図５を用いてスタティック処理およびリフレッシュ処理を説明する。
【００７６】
スタティック処理またはリフレッシュ処理が発生すると、スタティック制御データは複数のフレームに分割されて転送される。以下、図５（ｂ）に示すように、スタティック制御データを３フレームに分割して転送する場合を説明する。
【００７７】
マイコン２は、図５（ｂ）の第１フレームにおいてバンク選択信号ＢＳによりバンク４１ａを選択しかつアドレス信号ＡＤによりアドレスＡ０〜Ａ３を順に指定するとともにレジスタ４２ａを選択し、バンク選択信号ＢＳによりバンク４１ａを選択しかつアドレス信号ＡＤによりアドレスＡ４〜Ａ７を順に指定するとともにレジスタ４３ａを選択し、バンク選択信号ＢＳによりバンク４１ｂを選択しかつアドレス信号ＡＤによりアドレスＢ０〜Ｂ２を順に指定するとともにレジスタ４２ａを選択する。それにより、バンク４１ａのアドレスＡ０〜Ａ３に記憶される画像制御データ１４ａがレジスタ４２ａに順に転送され、バンク４１ａのアドレスＡ４〜Ａ７に記憶される光源制御データ１４ｂがレジスタ４３ａに順に転送され、バンク４１ｂのアドレスＢ０〜Ｂ２に記憶される画像制御データ１５ａがレジスタ４２ａに順に転送される。
【００７８】
次に、マイコン２は、図５（ｂ）の第２フレームでは第１フレームの動作と同様にして、バンク４１ａのアドレスＡ０〜Ａ３に記憶される画像制御データ１４ａをレジスタ４２ａに順に転送し、バンク４１ａのアドレスＡ４〜Ａ７に記憶される光源制御データ１４ｂをレジスタ４３ａに順に転送し、バンク４１ｂのアドレスＢ３〜Ｂ５に記憶される光源制御データ１５ｂをレジスタ４３ａに順に転送する。
【００７９】
さらに、マイコン２は、図５（ｂ）の第３フレームでは第１フレームの動作と同様にして、バンク４１ａのアドレスＡ０〜Ａ３に記憶される画像制御データ１４ａをレジスタ４２ａに順に転送し、バンク４１ａのアドレスＡ４〜Ａ７に記憶される光源制御データ１４ｂをレジスタ４３ａに順に転送し、バンク４１ｂのアドレスＢ６，Ｂ７に記憶される表示モード制御データ１５ｃをレジスタ４４ａに順に転送する。
【００８０】
第４フレーム以降は、スタティック処理またはリフレッシュ処理が発生するまで図５（ａ）のダイナミック処理が繰り返される。
【００８１】
以上のように、スタティック制御データは３フレームに分割されて転送されるため、スタティック処理またはリフレッシュ処理は３フレームで完了する。
【００８２】
図６は、マイコン２によるダイナミック制御データおよびスタティック制御データの転送制御を示すフローチャートである。
【００８３】
画像表示装置の電源がオンされると、マイコン２は、バンク４１ｂからレジスタ４２ａ，４３ａ，４４ａにスタティック制御データを転送する（ステップＳ１）。
【００８４】
その後、マイコン２は、フレームの開始タイミングか否かを判別する（ステップＳ２）。フレームの開始タイミングになると、マイコン２は、バンク４１ａからレジスタ４２ａ，４３ａにダイナミック制御データを転送する（ステップＳ３）。
【００８５】
その後、マイコン２は、リフレッシュ処理のためのスタティック制御データの転送タイミングか否かを判別する（ステップＳ４）。
【００８６】
ここで、リフレッシュ処理のためのスタティック制御データの転送タイミングは、ダイナミック制御データの転送完了時点に設定される。スタティック制御データを複数のフレームに分割して転送する場合には、スタティック制御データの転送タイミングは複数のフレームにおけるダイナミック制御データの転送完了時点にそれぞれ設定される。
【００８７】
スタティック制御データの転送タイミングになると、マイコン２は、バンク４１ｂからレジスタ４２ａ，４３ａ，４４ａにスタティック制御データを転送し（ステップＳ５）、ステップＳ２の動作に戻る。
【００８８】
ステップＳ４において、リフレッシュ処理のためのスタティック制御データの転送タイミングでない場合には、マイコン２は、使用者の操作によるスタティック制御データの転送タイミングか否かを判別する（ステップＳ６）。
【００８９】
ここで、使用者の操作によるスタティック制御データの転送タイミングは、図１のコントローラ１を用いた使用者の操作後におけるダイナミック制御データの転送完了時点に設定される。スタティック制御データを複数のフレームに分割して転送する場合には、複数のフレームにおけるダイナミック制御データの転送完了時点にそれぞれ設定される。
【００９０】
スタティック制御データの転送タイミングになると、マイコン２は、バンク４１ｂからレジスタ４２ａ，４３ａ，４４ａにスタティック制御データを転送し（ステップＳ７）、ステップＳ２の動作に戻る。
【００９１】
ステップＳ６において、使用者の操作によるスタティック制御データの転送タイミングでない場合には、マイコン２は、ステップＳ２の動作に戻る。
【００９２】
以上のように、本発明の実施の形態に係る画像表示装置では、ダイナミック制御データがバンク４１ａに記憶され、スタティック制御データがバンク４１ｂに記憶され、バンク４１ａから制御デバイス４０にダイナミック制御データが転送され、バンク４１ｂから制御デバイス４０にスタティック制御データが転送される。それにより、データ転送時のアドレスの分散が発生せず、アドレス制御が容易になるとともにデータ転送効率が向上する。したがって、多量のダイナミック制御データおよびスタティック制御データを効率良く転送することができる。その結果、画像表示装置における制御動作に応答の遅れが生じずに画像表示性能を向上させることが可能となるとともに、画像表示装置の付加価値を向上させることができる。
【００９３】
また、各フレームにおいてダイナミック制御データが転送され、スタティック処理時またはリフレッシュ処理時には、スタティック制御データが転送される。それにより、各フレームごとに完了されるべきダイナミック処理のためのダイナミック制御データを１フレーム期間内で確実に転送することができる。また、各フレーム内での完了を必要としないスタティック処理またはリフレッシュ処理のためのスタティック制御データを１または複数のフレームにおけるダイナミック制御データの転送後に確実に転送することができる。
【００９４】
（第２の実施の形態）
図７は、本発明の第２の実施の形態に係る画像表示装置の構成を示すブロック図である。図７に示す画像表示装置が図１に示す画像表示装置と異なるのは、特徴量検出部３、マイコン２およびＬＳＩ４の動作およびＬＳＩ４の構成である。
【００９５】
特徴量検出部３は、映像信号ＶＤ１の最大輝度レベルＭＡＸ、最小輝度レベルＭＩＮおよび平均輝度レベルＡＰＬをフレームごとに検出する。特徴量検出部３は、映像信号ＶＤ１の最大輝度レベルＭＡＸおよび最小輝度レベルＭＩＮをマイコン２に与え、映像信号ＶＤ１の平均輝度レベルＡＰＬをマイコン２およびＬＳＩ４に与える。
【００９６】
以下、マイコン２およびＬＳＩ４の動作を詳細に説明する。
図８は、図７のＬＳＩ４の構成を示すブロック図である。
【００９７】
本実施の形態では、画像制御部４２ｂは、信号振幅調整部４２ｂａおよびＤＣレベル調整部４２ｂｂを含む。映像信号ＶＤ１および平均輝度レベルＡＰＬが信号振幅調整部４２ｂａに与えられる。
【００９８】
以下、第２の実施の形態の画像表示装置におけるダイナミック処理の一例を、図９および図１０を参照して説明する。なお、第２の実施の形態の画像表示装置におけるスタティック処理は、第１の実施の形態の画像表示装置におけるスタティック処理と同様である。
【００９９】
第１の実施の形態と同様に、バンク４１ａにはマイコン２からデータバスＤＢを介してダイナミック制御データが与えられ、バンク４１ｂにはマイコン２からデータバスＤＢを介してスタティック制御データが与えられる。また、バンク４１ａ，４１ｂにマイコン２からアドレスバスＡＢを介してアドレス信号ＡＤおよびバンク選択信号ＢＳが与えられ、レジスタ４２ａ，４３ａ，４４ａにはマイコン２からアドレスバスＡＢを介してアドレス信号ＡＤが与えられる。
【０１００】
バンク４１ａへのダイナミック制御データの書き込み動作、バンク４１ｂへのスタティック制御データの書き込み動作、バンク４１ａからレジスタ４２ａ，４３ａへのダイナミック制御データの転送動作およびバンク４１ｂからレジスタ４２ａ，４３ａ，４４ａへのスタティック制御データの転送動作は第１の実施の形態と同様である。
【０１０１】
また、ダイナミック制御データおよびスタティック制御データの転送方法は、図５を用いて説明した方法と同様である。
【０１０２】
図９および図１０は、ある映像信号に対して行われるダイナミック処理の概略の一例をそれぞれ説明する図である。
【０１０３】
マイコン２は、特徴量検出部３から与えられた最大輝度レベルＭＡＸ、最小輝度レベルＭＩＮおよび平均輝度レベルＡＰＬに基づいて信号振幅調整利得（以下、利得と略記する。）と映像信号のＤＣレベルシフト量（以下、オフセットという。）とを、以下のように求める。
【０１０４】
ここで、特徴量検出部３が、図９（ａ）または図１０（ａ）に示すような最大輝度レベルＭＡＸ、最小輝度レベルＭＩＮおよび平均輝度レベルＡＰＬを検出した場合を考える。
【０１０５】
まず、マイコン２は、最大輝度レベルＭＡＸと最小輝度レベルＭＩＮとの差（以下、最大振幅という。）を、画像制御部４２ｂのダイナミックレンジ（信号処理可能範囲）まで増幅するための利得を、下記の式にしたがって求める。
【０１０６】
利得＝ダイナミックレンジ／最大振幅
例えば、図９（ａ）に示すように、映像信号ＶＤ１の最大振幅がダイナミックレンジに対して６７％である場合、マイコン２が求める利得は、約１．５となる。
【０１０７】
マイコン２は、求めた利得をダイナミック制御データとしてバンク４１ａおよびレジスタ４２ａを介して信号振幅調整部４２ｂａに与える。信号振幅調整部４２ｂａは、図９（ｂ）または図１０（ｂ）に示すように、マイコン２から与えられた利得および特徴量検出部３から与えられた平均輝度レベルＡＰＬに基づいて映像信号ＶＤ１を増幅して映像信号ＶＤ１ａとしてＤＣレベル調整部４２ｂｂに与える。
【０１０８】
映像信号ＶＤ１ａは、平均輝度レベルＡＰＬを基準として増幅されるため、ダイナミックレンジ内に必ずしも収まらない。例えば、図９（ｂ）におけるダイナミックレンジ下限を超える信号部分には、負の符号が与えられる。また、図１０（ｂ）におけるダイナミックレンジ上限を超える信号部分には、正の符号が与えられる。それにより、マイコン２は、映像信号ＶＤ１ａがダイナミックレンジ内に収まるようにＤＣレベルシフト量を与えるオフセットを求める。
【０１０９】
例えば、図９（ｃ）に示すように、映像信号ＶＤ１ａの振幅がダイナミックレンジ下限から０．５Ｖ超えるときには、マイコン２が求めるオフセットは＋０．５Ｖとなる。また、図１０（ｃ）に示すように、映像信号ＶＤ１ａの振幅がダイナミックレンジ上限から０．５Ｖ超えるときには、マイコン２が求めるオフセットは−０．５Ｖとなる。マイコン２は、求めたオフセットを、ダイナミック制御データとしてバンク４１ａおよびレジスタ４２ａを介してＤＣレベル調整部４２ｂｂに与え、かつバンク４１ａおよびレジスタ４３ａを介して光源制御部４３ｂに与える。
【０１１０】
ＤＣレベル調整部４２ｂｂには、信号振幅調整部４２ｂａが与える映像信号ＶＤ１ａとマイコン２がバンク４１ａおよびレジスタ４２ａを介して与えるオフセットとが与えられる。そして、ＤＣレベル調整部４２ｂｂは、与えられた映像信号ＶＤ１ａのＤＣレベルを図９（ｃ）または図１０（ｃ）に示すようにオフセットの分だけシフトさせ、映像信号ＶＤ２として液晶表示パネル５に与える。映像信号ＶＤ２は、液晶表示パネル５で画像として表示される。
【０１１１】
光源制御部４３ｂは、マイコン２から与えられたオフセットにしたがって、映像信号ＶＤ２における視覚的輝度レベルを映像信号ＶＤ１の輝度レベルと同等とするべく、図９（ｄ）または図１０（ｄ）に示すように液晶表示パネル５に画像を表示したときの平均輝度レベルＡＰＬが映像信号ＶＤ１の平均輝度レベルＡＰＬと同じになるように光源６に対して予め定めた輝度調整を行う。このように、ＤＣレベル調整部４２ｂｂによって生じる平均輝度レベルＡＰＬの変動分が光源制御部４３ｂによって補正される。
【０１１２】
それにより、図９（ｄ）の例では、光源６の輝度が低下することにより、視覚上の輝度レベルの平均が映像信号ＶＤ１の平均輝度レベルＡＰＬに一致する。その結果、画像のコントラストおよび輝度が適切に制御される。
【０１１３】
また、図１０（ｄ）の例では、光源６の輝度が上昇することにより、視覚上の輝度レベルの平均が映像信号ＶＤ１の平均輝度レベルＡＰＬに一致する。その結果、画像のコントラストおよび輝度が適切に制御される。
【０１１４】
以上のように、本発明の実施の形態に係る画像表示装置においても、ダイナミック制御データがバンク４１ａに記憶され、スタティック制御データがバンク４１ｂに記憶され、バンク４１ａから制御デバイス４０にダイナミック制御データが転送され、バンク４１ｂから制御デバイス４０にスタティック制御データが転送される。それにより、データ転送時のアドレスの分散が発生せず、アドレス制御が容易になるとともにデータ転送効率が向上する。したがって、多量のダイナミック制御データおよびスタティック制御データを効率良く転送することができる。その結果、画像表示装置における制御動作に応答の遅れが生じずに画像表示性能を向上させることが可能となるとともに、画像表示装置の付加価値を向上させることができる。
【０１１５】
また、各フレームにおいてダイナミック制御データが転送され、スタティック処理時またはリフレッシュ処理時には、スタティック制御データが転送される。それにより、各フレームごとに完了されるべきダイナミック処理のためのダイナミック制御データを１フレーム期間内で確実に転送することができる。また、各フレーム内での完了を必要としないスタティック処理またはリフレッシュ処理のためのスタティック制御データを１または複数のフレームにおけるダイナミック制御データの転送後に確実に転送することができる。
【０１１６】
画像制御ブロック４２および光源制御ブロック４３の構成および動作は図８〜図１０の構成および動作に限定されず、画像制御ブロック４２および光源制御ブロック４３は、ダイナミック制御データまたはスタティック制御データに基づいて液晶表示パネル５および光源６を制御する構成および動作であれば他の構成および動作を有しても良い。
【０１１７】
（他の変形例）
なお、上記第１及び第２の実施の形態にかかる画像表示装置では、スタティック処理またはリフレッシュ処理におけるデータ転送を３フレームに分割したが、それに限られず、データ量に応じて２フレームに分割してもよく、あるいは４フレーム以上の任意のフレームに分割してもよい。また、スタティック制御データの転送を１フレーム内のダイナミック制御データの転送後に行うことができる場合には、スタティック制御データを複数のフレームに分割せずに１フレーム内で転送してもよい。
【０１１８】
さらに、上記第１および第２の実施の形態では、スタティック処理またはリフレッシュ処理においてスタティック制御データを画像制御データ１５ａ、光源制御データ１５ｂおよび表示モード制御データ１５ｃに分割して異なるフレームで転送しているが、画像制御データ１５ａと光源制御データ１５ｂの一部とを１フレームで転送するというように、１フレーム内で異なる種類のスタティック制御データを混合して転送してもよい。
【０１１９】
なお、上記第１および第２の実施の形態では、本発明を液晶表示パネル５を用いた画像表示装置に適用した場合について説明したが、本発明は、ＰＤＰ（プラズマディスプレイパネル）、ＣＲＴ（陰極線管）等のほかの表示パネルを用いた画像表示装置にも同様に適用することができる。
【０１２０】
上記第１および第２の実施の形態においては、ダイナミック処理が第１の処理に相当し、スタティック処理およびリフレッシュ処理が第２の処理に相当し、制御デバイス４０が制御デバイスに相当し、デコーダ４１が記憶装置に相当し、バンク４１ａが第１の記憶領域に相当し、バンク４１ｂが第２の記憶領域に相当し、マイコン２が処理装置に相当し、特徴量検出部３が特徴量検出装置に相当し、コントローラ１が設定部に相当し、画像制御ブロック、光源制御ブロックおよび表示モード制御ブロックが制御ブロックに相当し、液晶表示パネル５および光源６が表示デバイスに相当する。
【０１２１】
【発明の効果】
本発明に係る表示制御装置においては、第１の記憶領域には第１の制御データのみが記憶され、第２の記憶領域には第２の制御データのみが記憶される。したがって、データ転送時のアドレスの分散が発生せずアドレス制御が容易になるとともにデータ転送効率が向上する。
【０１２２】
本発明に係る画像表示装置においては、第１の記憶領域には第１の制御データのみが記憶され、第２の記憶領域には第２の制御データのみが記憶される。したがって、データ転送時のアドレスの分散が発生せずアドレス制御が容易になるとともにデータ転送効率が向上する。したがって、変化する映像信号に基づいて画像を表示装置の画面に表示する制御動作に応答の遅れが生じずに画像表示性能を向上させることができるとともに、画像表示装置の付加価値を向上させることができる。
【０１２３】
本発明に係る制御データ転送方法においては、データ転送時のアドレスの分散が発生せずアドレス制御が容易になるとともにデータ転送効率が向上する。
【図面の簡単な説明】
【図１】画像表示装置の構成を示すブロック図
【図２】ダイナミック処理、スタティック処理およびリフレッシュ処理が発生する時期を説明するための図
【図３】ＬＳＩの構成を示すブロック図
【図４】バンクに記憶されたダイナミック制御データおよびバンクに記憶されたスタティック制御データの一例を示す図
【図５】ダイナミック制御データおよびスタティック制御データがレジスタに転送される様子を説明する図
【図６】マイコンによるダイナミック制御データおよびスタティック制御データの転送制御を示すフローチャートを示す図
【図７】本発明の第２の実施の形態に係る画像表示装置の構成を示すブロック図
【図８】ＬＳＩの構成を示すブロック図
【図９】ある映像信号に対して行われるダイナミック処理の概略の一例を説明する図
【図１０】ある入力信号に対して行われるダイナミック処理の概略の一例を説明する図
【符号の説明】
１  コントローラ
２  マイコン
３  特徴検出部
４  ＬＳＩ
５  液晶表示パネル
６  光源
７  映像信号処理回路
１４ａ，１５ａ  画像制御データ
１４ｂ，１５ｂ  光源制御データ
１５ｃ  表示モード制御データ
４１  デコーダ
４１ａ，４１ｂ  バンク
４２  画像制御ブロック
４２ａ，４３ａ，４４ａ  レジスタ
４２ｂ  画像制御部
４２ｂａ  信号振幅調整部
４２ｂｂ  ＤＣレベル調整部
４３ｂ  光源制御部
４４ｂ  表示モード制御部
ＡＢ  アドレスバス
ＤＢ  データバス
【図１】
0004267299.tif 000002
【図２】
0004267299.tif 000003
【図３】
0004267299.tif 000004
【図４】
0004267299.tif 000005
【図５】
0004267299.tif 000006
【図６】
0004267299.tif 000007
【図７】
0004267299.tif 000008
【図８】
0004267299.tif 000009
【図９】
0004267299.tif 000010
【図１０】
0004267299.tif 000011